(57)【要約】【課題】  画像形成装置において、複写画像の縮小設定時に駆動モータに要求される最高回転速度を低下させることで、モータの大型化とそれに伴うコストアップを回避することを目的とする。【解決手段】  原稿画像の複写倍率を縮小に設定した場合には、撮像素子の副走査方向に走査する周期を大きくし、かつ撮像素子の走査周期に対応して発光部材の光量を小さくするように制御する。また、発光部材の配光特性を均一に維持して画像形成を行うのに必要な値として設定する最小光量値及び最小光量設定値における前記撮像素子の走査周期に対応して決定される最小光量倍率設定値をそれぞれ設定し、原稿画像の複写倍率が最小光量倍率設定値より小さく設定された場合には、発光部材の光量を最小光量設定値に設定するとともに、撮像素子の副走査方向の走査周期を固定し、原稿露光手段の移動速度を複写倍率に応じて上昇させるように制御する。【選択図】図２
2005208298.tif 000002
【特許請求の範囲】
【請求項１】
原稿面を露光、走査し画素の単位に分解して濃度情報を電気信号に光電変換する画像データ読取装置を備えた画像形成装置であって、
原稿面の副走査方向に延設され、前記原稿をライン状に照射する発光部材を含み、主走査方向に移動して原稿面全体を露光する原稿露光手段と、
前記原稿露光手段により露光された原稿からの反射光を撮像素子に集光し、原稿画像情報に対応する電気信号に変換する画像読取手段と、
前記画像読取手段が前記原稿の画像情報を読み取る際に、前記原稿画像に対する複写倍率に応じて、前記副走査方向に走査する周期を変更する走査周期設定手段と、
前記副走査方向に走査する周期に対応して前記発光部材の光量を可変設定する露光量設定手段と、
を有することを特徴とする画像形成装置。
【請求項２】
請求項１に記載の画像形成装置において、
前記複写倍率を縮小に設定する場合には、前記走査周期設定手段が前記副走査方向に走査する周期を大きくし、かつ前記露光量設定手段が前記走査する周期に対応して前記発光部材の光量を小さくすることを特徴とする画像形成装置。
【請求項３】
請求項２に記載の画像形成装置において、
前記原稿露光手段が前記主走査方向に移動する移動速度を前記複写倍率に応じて可変制御する速度設定手段と、
前記発光部材の配光特性を均一に維持して画像形成を行うのに必要な値として設定する最小光量設定値と、前記最小光量設定値における前記副走査方向の走査周期に対応して決定される最小光量倍率設定値をそれぞれ記憶する記憶手段とを設け、
複写倍率が前記最小光量倍率設定値より小さく設定された場合には、前記露光量設定手段が、前記発光部材の光量を最小光量設定値に設定するとともに、前記走査周期設定手段が前記副走査方向の走査周期を、前記最小光量倍率設定値を決定した時の走査周期に固定し、前記速度設定手段が前記原稿露光手段の前記移動速度を前記複写倍率に応じて上昇させることを特徴とする画像形成装置。
【発明の詳細な説明】
【技術分野】
【０００１】
本発明は原稿に記載された画像をディジタル的に読み取り、読み取った画像を電子写真プロセスによって記録紙上に画像形成を行う画像形成装置に関し、より詳しくは、画像をディジタル的に読み取る画像データの読取制御手段に関する。
【背景技術】
【０００２】
電子写真プロセスによる画像形成装置では、光導電性の感光体を所定の電位に帯電させ、この感光体に画像情報により変調されたレーザ光を照射し、感光体の電位を選択的に減衰させて静電潜像を形成する。感光体上に形成された静電潜像は現像装置から供給される現像剤によって可視化され、電界によって記録紙に転写された後、定着装置によって加熱加圧されて記録紙上に溶融定着される。
【０００３】
画像情報を取得し、レーザ光を画像情報により変調するには画像読取装置が必要となる。コンタクトガラス上に載置された原稿を露光して得られる反射光を、反射鏡とレンズあるいは光ファイバー等で撮像素子に導き、光電変換により電気信号に変換して画像情報を得る。このディジタル画像情報信号に基づき、光変調器を用いてレーザ光を変調する。
【０００４】
原稿面全体を露光するために、通常は蛍光ランプ等を搭載した走行体を使用する。原稿の一辺（副走査方向）に沿って延設した蛍光ランプによって、原稿を細長いライン状に露光し、直交する辺の方向（主走査方向）に移動させて原稿面全体の画像領域から反射光を得る。このような走行体はパルスモータ・サーボモータなどの速度制御容易なモータにより駆動されて、所定の速度で主走査方向に移動する。
【０００５】
ところで、ディジタル画像形成装置においては、原稿画像の拡大及び縮小複写を随意に行えることが要求され、複写倍率に対応して所望の解像度で原稿画像を読み取っている。この場合、従来は走行体を駆動するモータを複写倍率に応じた回転速度に制御して対応していた。例えば、複写倍率範囲が４００％から２５％で選択可能な場合、駆動モータの回転数は０．２５〜４倍の範囲で制御する必要がある。すなわち、駆動モータの回転速度は高速時と低速時でおおよそ１６倍の差があることになる。
【０００６】
このように大きな回転速度の差を制御範囲とするためには、駆動モータに高いトルク性能を要求するから、駆動モータの規格も当然に大きなものとなる。そこで、駆動モータの大型化を防ぎ、回転速度の制御幅をなるべく小さくして、広い複写倍率範囲の全域で安定的な画像読み取りを可能とするために、原稿画像を読み取る際の読取倍率に応じて、原稿画像を走査する二つの走行体を使い分けるという方法が提案されている。
【特許文献１】特開平１０−２７６３０６
【発明の開示】
【発明が解決しようとする課題】
【０００７】
原稿画像を走行体に搭載された発光部材（蛍光ランプ等）で露光してその反射光を走査する場合、走行体の蛍光ランプは、少なくとも読込可能な原稿サイズの短辺長さを一時に露光する必要があり、しかも高い解像度が要求される場合には、撮像素子、例えばＣＣＤセンサの画素の大きさに相当する高い速度精度が要求される。すなわち、蛍光ランプを搭載した移動体は待機中のホームポジション位置から露光される原稿の先端まで移動するわずかな間に安定したスキャニング速度にまで達していなければならない。
【０００８】
複写倍率が小さくなるほど大きなモータ回転速度による走行体の高速移動が必要となるので、原稿画像の複写倍率を縮小するほど駆動モータの加速度を大きくしなければならない。このため、駆動モータに加わる負荷トルクも加速度に比例して大きくなり、駆動モータの大型化とコストアップを招くことになる。
【０００９】
この問題に対して、特許文献１の方法は、モータ回転速度の制御幅を機械的構造により小さくして解決しようとするものであり、二つの走行体を設けるなど、機構が極めて複雑となる欠点を有している。本願発明はかかる状況に鑑みてなされたものであり、原稿画像を副走査方向に走査する周期を可変とし、複写画像の縮小時には副走査方向に走査する周期を大きくして駆動モータに要求される最高回転速度を低下させることで、駆動モータの大型化とコストアップを回避することを目的としたものである。
【課題を解決するための手段】
【００１０】
本願目的は原稿面を露光、走査し画素の単位に分解して濃度情報を電気信号に光電変換する画像データ読取装置を備えた画像形成装置において達成可能である。上記目的を達成するため請求項１に記載の画像形成装置では、原稿面の副走査方向に延設され、原稿をライン状に照射する発光部材を含み、主走査方向に移動して原稿面全体を露光する原稿露光手段、原稿露光手段により露光された原稿からの反射光を撮像素子が集光し、原稿画像情報に対応する電気信号に変換する画像読取手段、当該画像読取手段が原稿の画像情報を読み取る際において原稿画像の複写倍率に対応して副走査方向に走査する周期を変更する走査周期設定手段及びこの走査周期に対応して発光部材の光量を可変設定する露光量設定手段を有して構成される。
【００１１】
さらに、請求項１に記載の画像形成装置においては、原稿画像の複写倍率を縮小に設定した場合には、走査周期設定手段が、副走査方向に走査する周期を大きくし、かつ大きくされた走査周期に対応して露光量設定手段が発光部材の光量を小さくするように制御することが最適である。
【００１２】
請求項３に記載の画像形成装置は、請求項１に記載の画像形成装置に、原稿露光手段の主走査方向に移動する移動速度を複写倍率に応じて可変する速度設定手段と、発光部材の配光特性を均一に維持して画像形成を行うのに必要な値として設定する最小光量値及び最小光量設定値における副走査方向の走査周期に対応して決定される最小光量倍率設定値をそれぞれ記憶する記憶手段とを設けて構成される。
【００１３】
そして、原稿画像の複写倍率が最小光量倍率設定値より小さく設定された場合には、露光量設定手段が、発光部材の光量を最小光量設定値に設定するとともに、走査周期設定手段が副走査方向に走査する周期を、最小光量倍率設定値を決定した時の走査周期に固定し、速度設定手段が原稿露光手段の移動速度を複写倍率に応じて上昇させるように原稿露光手段を制御する。このような画像形成装置によれば、以下に述べる作用によって有用な効果が得られる。
【発明の効果】
【００１４】
請求項１にかかる画像形成装置によれば、原稿サイズに対して等倍の画像形成を行う場合のほか、複写倍率を変更して画像を読み取る場合にも、原稿露光手段の移動速度を変更する必要がなく、走査周期設定手段が副走査方向に画像を走査するライン密度を変更して対応することができる。すなわち、画像縮小時にはライン密度を小さくし、拡大時にはライン密度を大きくして対応すれば、原稿露光手段を移動させる駆動モータの回転速度を一定に保つことができるので、駆動モータの大型化の防止とコストダウンを実現することができる。
【００１５】
これは、以下の原理に基づく。原稿サイズに対する複写倍率をｍとした場合において、撮像素子（例えば、ＣＣＤ）が１秒間に読み取るライン数をＦ（ｍ）、撮像素子が主走査方向の一ライン分を読み取る時間（周期）をＴ（ｍ）、原稿露光手段が主走査方向に移動する速度をＶ（ｍ）、原稿露光手段の駆動源であるモータの回転速度をＮ（ｍ）とし、Ｖ（ｍ）＝ａ・Ｎ（ｍ）、但しａは定数とすると、副走査方向のライン密度Ｌｄ（ｍ）はＬｄ（ｍ）＝Ｆ（ｍ）／Ｖ（ｍ）＝１／｛Ｔ（ｍ）・ａ・Ｎ（ｍ）｝（本／ｍｍ）で表される。
【００１６】
各パラメータを等倍時（ｍ＝１）を基準にとれば、ライン密度はＬｄ（ｍ）＝ｍ・Ｌｄ（１）＝ｍ／｛Ｔ（１）・ａ・Ｎ（１）｝＝１／｛Ｔ（１）・ａ・Ｎ（ｍ）｝（本／ｍｍ）で表される。ここに、Ｎ（ｍ）＝Ｎ（１）／ｍとしてモータ回転速度は複写倍率ｍに反比例して大きくなる。この式からわかるように、従来は駆動モータの回転速度Ｎ（ｍ）を可変とすることにより各複写倍率に応じたライン密度Ｌｄ（ｍ）を得ていた。このため、複写倍率ｍが０．２５倍（２５％に縮小）の場合などは、Ｎ（０．２５）＝４・Ｎ（１）となり、等倍時の４倍の回転速度が必要となっていた。
【００１７】
本願発明では、上式においてＬｄ（ｍ）＝１／｛Ｔ（ｍ）・ａ・Ｎ（１）｝、但しＴ（ｍ）＝Ｔ（１）／ｍとし、縮小時において、駆動モータの回転速度を変えずに撮像素子が副走査方向の一ライン分を読み取る時間（走査周期）を大きくすることで従来と同等の効果を得ることができる。特に、原稿画像を縮小して画像形成するほど駆動モータの加速度を大きくしなければならず、また駆動モータに加わる負荷トルクの加速度に比例して大きくしなければならないので、駆動モータの最高回転速度を低くして速度制御を行う必要がなくなれば、駆動モータの大型化を回避してコストアップを抑えることが可能となる。
【００１８】
また、請求項１に記載の画像形成装置では、副走査方向の走査周期に対応して発光部材の光量を可変設定する露光量設定手段を設けている。ここで、発光部材の光量をＰ（ｍ）（単位Ｌｘ）とし、発光部材の光量を等倍時の光量Ｐ（１）（単位Ｌｘ）、駆動モータの回転速度Ｎ（ｍ）をＮ（１）で固定すると、撮像素子への１ラインあたりの入射光量Ｌ（ｍ）はＬ（ｍ）＝Ｐ（１）・Ｔ（ｍ）＝Ｐ（１）・Ｔ（１）／ｍ（Ｌｘ・ｓｅｃ）となる。ｍ＝０．２５とすると入射光量Ｌ（ｍ）は等倍時の４倍になってしまい、撮像素子が光飽和の状態となる場合が生じる。
【００１９】
そこで、複写画像を縮小する場合に、副走査方向の走査周期を大きくする際は、複写倍率ｍにおける発光部材の光量Ｐ（ｍ）をＰ（ｍ）＝ｍ・Ｐ（１）とすれば、撮像素子への１ラインあたりの入射光量Ｌ（ｍ）はＬ（ｍ）＝Ｐ（ｍ）・Ｔ（ｍ）＝ｍ・Ｐ（１）・Ｔ（１）／ｍ＝Ｐ（１）・Ｔ（１）となって等倍時と同一になる。よって、請求項２に記載のように制御すれば、撮像素子の光飽和を防止して有効な画像形成を行うことが可能となる。
【００２０】
しかし、発光部材の光量Ｐ（ｍ）を下げすぎると、均一な配光特性が崩れて画像ムラが生じる場合もあるため、請求項３に記載の画像形成装置のように構成すれば、有効な画像形成が可能となる。すなわち、最小光量設定値を下回る複写倍率が設定された場合に、発光部材の光量をＰ（ｍ）（単位Ｌｘ）を最小光量設定値に固定し、撮像素子が一ライン分を読み取る走査周期Ｔ（ｍ）も最小光量倍率設定値を決定した時の値に固定することで光飽和を回避し、駆動モータの回転速度を上げることで発光部材の均一な配光特性の崩れによる影響を排除しながら画像形成が可能となる。
【００２１】
この結果、本願発明によれば、機械的構造の変更を行うことなく、駆動モータの回転速度の変動範囲を狭めることができる。例えば、最小光量倍率設定値が０．６のとき、ｍ＝０．２５の画像形成を行うとすると、駆動モータの回転速度は等倍時の２.４倍以内で済むことになり、従来のように４倍の幅で回転数制御を行う必要がなくなる。その結果、駆動モータの大型化とコストアップを回避することができる。
【００２２】
本願発明の請求項１〜３に記載の画像形成装置は特に原稿画像の高速スキャンニングが要求される高速複写機において優れたコストダウン効果を奏し得る。
【発明を実施するための最良の形態】
【００２３】
以下、本発明の実施の形態を、添付図面を参照して説明する。図１は本願発明に係る画像形成装置１００の全体構成図である。この画像形成装置１００は、自動原稿搬送装置１０、画像読取装置２０、画像処理部４０、画像形成部５０、カセット給紙部３０、定着部６０、排紙部を備えて構成されている。
【００２４】
画像形成装置１００の本体上部には画像読取装置２０と、さらにその上に自動原稿搬送装置１０が搭載されている。原稿の自動給送をする自動原稿搬送装置１０は上面に原稿載置部１１を有しており、原稿載置部１１には、表面を上にした状態の原稿が複数枚積層して載置される。
【００２５】
載置された原稿の最上位のものがピックアップローラ１２ａ、送出ローラ１２ｂにより搬送され、給紙ローラ１３によりコンタクトガラス１４上に送り込まれる。コンタクトガラス１４は原稿の送り方向の長さが短く、送り方向と直交する方向に長いスリット形状をしている。コンタクトガラス１４上を通過する原稿は画像読取装置２０によりその画像面が読み込まれる。画像が読み取られた原稿は表面を下に向けた状態で排紙皿１５上に送り出される。
【００２６】
自動原稿搬送装置１０の下部に位置する画像読取装置（スキャナ装置）２０は、光源２３、第１ミラー２４、第２ミラー２５、第３ミラー２６、結像光学系２７及び受光素子２８等から構成されている。そして、光源２３と第１ミラー２４が第１走行体Ａに搭載されており、第２ミラー２５と第３ミラー２６は反射面が９０゜になるように組み合わされて第２走行体Ｂに搭載されている。
【００２７】
原稿が自動原稿搬送装置１０の給紙ローラ１３によって送り込まれ、コンタクトガラス１４上を通過する場合には、第１走行体Ａと第２走行体Ｂは一定の位置（ホームポジション）に停止した状態でコンタクトガラス１４上を通過する原稿を読み取る。すなわち、光源２３により原稿面が照射され、その反射光が第１ミラー２４、第２ミラー２５、第３ミラー２６を経て結像光学系２７を介して光電変換手段である受光素子である受光素子２８の受光面に送られて光画像が形成される。
【００２８】
画像読取装置２０には、コンタクトガラス１４に隣接して原稿台ガラス１６が設けられている。この原稿台ガラス１６は、原稿を広げて載置できる大きさを有している。原稿が原稿台ガラス１６上に載置された場合には、第一走行体Ａが原稿の一端（図１では左端）から他端（右端）まで移動しながら原稿画像を照射する。第二走行体Ｂは、その間、第一走行体Ａに連動して１／２の速度で同じ方向に移動しながら第一走行体Ａからの反射光を受光素子２８へ送る。
【００２９】
このように第一走行体Ａ及び第二走行体Ｂは、コンタクトガラス１４の下をフィード方向（図面上、右方向）に移動して原稿画像全体をスキャンしながら原稿画像データを読み込み、読込が完了すると逆方向に移動してホームポジションに戻る。受光素子２８では、読み取った光画像を電子画像データに変換して画像処理部４０に送る。画像処理部４０は、この電子画像データにアナログ処理、Ａ／Ｄ変換、シェーディング補正、画像圧縮処理等を行った後、ディジタル化した画像情報のデータを露光装置４１へ搬送する。
【００３０】
画像形成部５０は、表面に潜像が形成される像担持体としての感光体ドラム５１を中央に有しており、感光体ドラム５１の外周面に沿って動作順に、この感光体ドラム５１の表面をほぼ一様に帯電する帯電装置５２と、感光体表面上に静電潜像の書き込みを行う露光装置４１と、感光体ドラム５１の表面に形成された潜像にトナーを転移させてトナー画像を形成する現像装置５３と、感光体ドラム５１表面上のトナー像を記録紙Ｐに転写する転写分離装置５４、及び転写後の感光体ドラム５１の表面を清掃するクリーニング装置５５が配設されている。
【００３１】
画像形成部５０の露光装置４１では、ディジタル化された電子画像データをもとに、半導体レーザを電気的に変調し、コリメータレンズを通して多面体反射鏡（ポリゴンミラー）４２とレンズ群によって副走査を行う。さらに感光体ドラム５１を回転させることで主走査が行われ、静電潜像を感光体ドラム５１上に再現する。
【００３２】
露光に先立ち、感光体ドラム５１上には、帯電装置５２のコロナ放電により所定の表面電荷が付与されているが、レーザ光の照射により、露光部分の電荷が露光量に応じて減じられ，結果として原稿画像情報データに応じた静電潜像がそれぞれの感光体ドラム５１上に形成される。静電潜像は、現像装置５３から供給された現像剤トナーにより可視化されてトナー画像となる。
【００３３】
画像形成装置１００本体の下部には、カセット給紙部３０が設けられている。カセット給紙部３０からピックアップローラ３１によって排紙され、中間ローラによって搬送された記録紙Ｐはレジストローラ３２により給紙タイミングがとられて転写分離装置５４に送り出される。
【００３４】
転写分離装置５４においては、トナーと逆極性の転写電界がかけられて、感光体ドラム５１上に形成されたトナー画像が記録紙Ｐ上に一括転写される。トナー画像の転写された記録紙Ｐは、定着部６０に搬送されて加圧加熱処理される。定着処理のため加熱された記録紙Ｐは、排紙ローラ８１に挟持されて機外に排紙されて記録紙排紙台８２上に載置される。
【００３５】
図２は、本願発明にかかる画像形成装置１００の最適な一実施態様を示すブロック構成図である。特に画像読取装置２０、いわゆるスキャナ部分の作動制御部の構成を示すものである。スキャナ部分の作動制御部は各種データの処理・アクセス制御を行う画像処理部４０を中心に、露光量設定手段１、モータ回転速度の速度設定手段３、走査周期設定手段４、複写倍率設定手段８及びメモリ７が設けられ、画像処理部４０とデータの授受を行うことができるように構成されている。
【００３６】
露光量設定手段１は原稿露光手段２の光源である蛍光ランプ２１に接続され、蛍光ランプ２１の発光量を制御する。発光量の制御はインバータによって蛍光ランプ２１に入力する電力を制御して行うことができる。また蛍光ランプ２１は第一走行体Ａに搭載されて移動が可能である。通常、蛍光ランプ２１は原稿台ガラス１６に載置された原稿の一辺の長さを有し、第一走行体Ａの主走査方向への移動に伴って一往復で原稿面全体を照射している。なお、光源２３は蛍光ランプ２１に限定されるものではなく、ハロゲンランプ、フラッシュランプなどが使用可能である。
【００３７】
蛍光ランプ２１によって照射された原稿画像の反射光は各種ミラー群２４，２５，２６及び結像光学系２７によって画像読取手段である受光素子ＣＣＤ２８まで搬送される。このＣＣＤ２８は光を電荷に変換するフォトダイオード列を含み、このフォトダイオード列によって光画像をサンプリングして電子画像データに変換し、蓄積した電荷を増幅器６によって増幅して画像処理部４０に転送する。
【００３８】
このＣＣＤ２８のサンプリング周期は走査周期設定手段４によって決定される。走査周期設定手段４はクロック制御回路を含んで構成され、光画像の主走査にあわせて取得する電子画像データのライン密度を選択するため、副走査方向へのライン走査周期に制御されたサンプリング信号をＣＣＤ２８に送る。
【００３９】
駆動モータＭｏは原稿露光手段２の蛍光ランプ２１を主走査方向に移動させる駆動源となる。蛍光ランプ２１は第一走行体Ａに搭載されており、駆動モータＭｏの回転駆動力は速度制御手段３であるドライバによって制御されて、この第一走行体Ａに直接伝達されている。従って、駆動モータＭｏの回転速度は第一走行体Ａの主走査方向への移動速度に比例する。
【００４０】
複写倍率設定手段８は画像形成装置１００の外部表示部（図示しない）に設けられるものであり、複写倍率ｍを任意に設定して、形成する画像の拡大縮小指令を入力する手段である。ディジタル式画像形成装置１００では、複写画像の大きさにあわせた密度の画像データが画像読取手段によって収集される。
【００４１】
メモリ７は、画像処理部４０からのアドレス指令に応じてデータの授受を行う。メモリ７には蛍光ランプ２１の配光特性を均一に維持して画像形成を行うのに必要な最小光量設定値７１と、最小光量設定値７１におけるＣＣＤ２８の走査周期に対応して決定される最小光量倍率設定値７２が予め記憶されている。以下、この最小光量設定値７１と最小光量倍率設定値７２について解説する。
【００４２】
図３は原稿露光手段２である蛍光ランプ２１の配光特性を示す図である。蛍光ランプ２１は原稿台ガラス１６に載置された原稿の一辺の長さを有する長尺状に形成され、第一走行体Ａの主走査方向への移動に伴って一往復で原稿面全体を照射することができる。蛍光ランプ２１によって照射された原稿画像の反射光は各種ミラー群２４，２５，２６及び結像光学系（レンズ）２７によって受光素子であるＣＣＤ２８まで搬送され、そこで電子画像が形成される。
【００４３】
しかし、原稿の両端部は長尺状に形成された蛍光ランプ２１の端部で照射されているため、ＣＣＤ２８からみると光量が不足し、有効な反射光が得られず均一な画像形成に支障をきたす場合がある。そのため、図３（１）（ａ）に示すように、蛍光ランプ２１の両端部で１０％ほど光量を増加させている。その結果、本願発明に係る画像形成装置１００では、画像処理部４０側から見た蛍光ランプ２１の配光特性が同図（１）（ｂ）に示すように、ほぼ平坦となるよう制御している。
【００４４】
本願発明のように、蛍光ランプ２１を搭載した第一走行体Ａの移動速度（駆動モータＭｏの回転速度に比例）を等倍時の速度に保ったままＣＣＤ２８の副走査するライン密度を小さくし、原稿画像の縮小複写倍率に対応させるためには、蛍光ランプ２１の発光量を少なくする必要がある。等倍時のままの光量であるとＣＣＤ２８が光飽和を起こす場合が生じるため、ＣＣＤ２８ヘの入射光量Ｌ（ｍ）を一定にする制御を行う。
【００４５】
一方、蛍光ランプ２１の発光量を少なくすると、図３（２）（ａ）のように蛍光ランプ２１の端部で配光特性が崩れ、ＣＣＤ２８が形成した電子画像を増幅器６で増幅しても、増幅器６の増幅率には限界があるため、画像処理部４０側からみた配光特性は同図（２）（ｂ）に示すように平坦なものとはならない。その結果、均一な画像形成に支障をきたすことになる。そこで、本願発明では予め画像処理部４０側からみた配光特性が均一性を保てる最小の光量値を図４に示すフローチャートに従って設定し、最小光量設定値７１としてメモリ７に記憶させておく。
【００４６】
以下、図４に従って、最小光量設定値７１の設定の仕方を説明する。外部入力装置である複写倍率設定手段８により原稿画像の複写倍率ｍを等倍時（ｍ＝１）に設定する（Ｓ１）。また蛍光ランプ２１の光量を同じく等倍時（ｍ＝１）の光量Ｐ（１）に設定する（Ｓ２）。その状態で蛍光ランプ２１を点灯し（Ｓ３）、ＣＣＤ２８がその反射光を受光して配光データを収集する（Ｓ４）。
【００４７】
画像処理部４０から見て、この配光データが平坦な特性を示しているか否かを判断する（Ｓ５）。配光データが平坦な特性を示している場合には、一端、蛍光ランプ２１を消灯して（Ｓ６）複写倍率ｍを１０％下げ（ｓ７）、蛍光ランプ２１の光量をＰ（ｍ）＝ｍ・Ｐ（１）に設定する（Ｓ８）。再び画像処理部４０から見て配光データが平坦な特性を示しているか否かを判断する。このサイクルを配光データが平坦特性を示さなくなるまで行う。
【００４８】
画像処理部４０は、入力されたデータにより蛍光ランプ２１の配光特性が平坦な特性を示していないと判断したとき（Ｓ５）は、蛍光ランプ２１を消灯して（Ｓ９）、その一つ前の複写倍率の値ｍ＝ｍ−１を最小光量倍率設定値Ｍｍｉｎとしてメモリ７に記憶する（Ｓ１０）。さらにＰｍｉｎ＝Ｍｍｉｎ・Ｐ（１）を最小光量設定値Ｐｍｉｎとしてメモリ７に記憶しておく（Ｓ１１）。
【００４９】
以上のように最小光量設定値７１と最小光量倍率設定値７２とが記憶された本願発明にかかる画像形成装置１００の作用について、図５に示すフローチャートを参照して説明する。使用にあたり、ユーザは原稿画像の複写倍率ｍを決定し、複写倍率設定手段８により複写倍率ｍを入力する。画像処理部４０はユーザが入力する複写倍率ｍが最小光量倍率設定値Ｍｍｉｎより大きいか否かを判断する（Ｓ１２）。
【００５０】
複写倍率ｍがＭｍｉｎより大きい場合は、等倍時のモータ回転速度を変更することなく均一な配光特性が得られるので、モータ回転速度をＮ（１）に設定したまま、蛍光ランプ２１の光量をＰ（ｍ）＝ｍ・Ｐ（１）に設定する（Ｓ１３）。同時にＣＣＤ２８の副走査方向への走査周期Ｔ（ｍ）をＴ（ｍ）＝Ｔ（１）／ｍに設定する（Ｓ１４）。ここでＴ（１）は等倍時におけるＣＣＤ２８の走査周期を表す。
【００５１】
画像形成指令が入力されると、蛍光ランプ２１が点灯され（Ｓ１５）、原稿画像のスキャンニングを開始する（Ｓ１６）。蛍光ランプ２１による原稿画像の反射光はＣＣＤ２８に搬送され、複写倍率ｍに対応する解像度を確保するため、ＣＣＤ２８の副走査方向の走査周期に対応するライン密度で画像データが読み込まれる（Ｓ１７）。この電子画像データは画像処理部４０で処理される。
【００５２】
複写倍率ｍがＭｍｉｎより小さい場合は、蛍光ランプ２１の光量Ｐ（ｍ）をＰｍｉｎに設定し（Ｓ１８）、同時にＣＣＤ２８の副走査方向への走査周期Ｔ（ｍ）をＴ（ｍ）＝Ｔ（１）／Ｍｍｉｎに設定する（Ｓ１９）。このように蛍光ランプ２１の配光特性を崩すことなく、複写倍率ｍに対応したデータ密度に対応させるため、原稿露光手段２の移動速度（駆動モータＭｏの回転速度に比例）をＮ（ｍ）＝Ｎ（１）・Ｍｍｉｎ／ｍに設定する（Ｓ２０）。
【００５３】
このように設定することにより、本願発明にかかる画像形成装置１００では、機械的な構造変更を加えることなくまた蛍光ランプ２１の配光特性に画像品質が影響をうけることなく画像データの処理を行うことができる。また、縮小複写倍率の場合にも原稿露光手段２の駆動モータＭｏの回転制御範囲を狭めることができる。例えば、最小光量倍率設定値Ｍｍｉｎが０．６のとき、ｍ＝０．２５の複写倍率が選択されても、駆動モータＭｏの回転速度は等倍時の回転速度Ｎ（１）の２.４倍に納められる。
【産業上の利用可能性】
【００５４】
本発明の画像形成装置では、原稿画像の画像データの収集を画像露光手段の移動速度によることなく、受光素子の電気的な走査速度で解決している。この方法は可動部を有しない画像読取装置に応用が可能である。
【図面の簡単な説明】
【００５５】
【図１】本願発明に係る画像形成装置の全体構成図である。
【図２】画像読取手段の最適な一実施態様を示すブロック構成図である。
【図３】原稿露光手段である蛍光ランプの配光特性を示す図である。（１）は発光量が大きい場合であり、（２）は発光量が小さい場合の配光特性を示す。
【図４】最小光量倍率設定値と最小光量設定値の設定方法を示すフローチャートである。
【図５】本願発明にかかる画像形成装置の作用制御を示すフローチャートである。
【符号の説明】
【００５６】
１      露光量設定手段
２      原稿露光手段
３      速度制御手段
４      走査周期設定手段
７      メモリ（記憶手段）
８      複写倍率設定手段
１０    自動原稿搬送装置
２０    画像読取装置
２１    蛍光ランプ
２７    結像光学系
２８    受光素子（ＣＣＤ）
３０    カセット給紙部
４０    画像処理部
４１    露光装置
５０    画像形成部
５１    感光体ドラム
７１    最小光量設定値
７２    最小光量倍率設定値
１００  画像形成装置
Ｍｏ    駆動モータ
Ｐ      記録紙
【図１】
2005208298.tif 000003
【図２】
2005208298.tif 000004
【図３】
2005208298.tif 000005
【図４】
2005208298.tif 000006
【図５】
2005208298.tif 000007